(57)【要約】【課題】容器を傾けることなく容器内の飲食物を確実にすくいあげることができるとともに、容器の底部側の流動状飲食物をも確実に吸引できる使い勝手に優れた多機能飲食具を提供する。【解決手段】上下両側で外部に連通する内部管路１６を有する細長いパイプ部１２と、パイプ部１２の下端側に一体的に設けられ、パイプ部１２に対して交差方向に広がったすくい面２２を有するすくい部１４と、を備え、すくい部１４は、容器Ｙ内でパイプ部１２を立てた状態で飲食物Ｘを担持できて、その状態でパイプ部１２を上方に移動させた際にも該飲食物Ｘを担持した状態を維持するように設けられており、かつ、パイプ部１２を立てた状態でパイプ部１２を介して容器Ｙの底部側の流動状飲食物を吸引できるように設けられたことを特徴とする多機能飲食具１０から構成される。【選択図】        図１
2005013449.tif 000002
【特許請求の範囲】
【請求項１】
上下両側で外部に連通する内部管路を有する細長いパイプ部と、
パイプ部の下端側に一体的に設けられ、パイプ部に対して交差方向に広がったすくい面を有するすくい部と、を備え、
すくい部は、容器内でパイプ部を立てた状態で飲食物を担持できて、その状態でパイプ部を上方に移動させた際にも該飲食物を担持した状態を維持するように設けられており、
かつ、パイプ部を立てた状態でパイプ部を介して容器の底部側の流動状飲食物を吸引できるように設けられたことを特徴とする多機能飲食具。
【請求項２】
パイプ部を立てた状態ですくい部はその下面が容器の内部底面に当接するように形成され、
該下面にはパイプ部の内部管路と連通する開口が設けられた請求項１記載の多機能飲食具。
【請求項３】
パイプ部を立てた状態ですくい部はその下面が容器の内部底面に当接するように形成され、
パイプ部は、直線状に伸びた内部管路の下端側に容器内部の底面に臨む吸引開口を備え、
該パイプ部の下端において側方に伸びるようにすくい部が設けられた請求項１記載の多機能飲食具。
【請求項４】
パイプ部を立てた状態ですくい部はその下面が容器の内部底面に当接するように形成され、
すくい部のすくい面側にパイプ部の内部管路と連通する横向き開口が設けられた請求項１記載の多機能飲食具。
【請求項５】
すくい部は、椀状に湾曲して形成された請求項１ないし４のいずれかに記載の多機能飲食具。
【請求項６】
すくい部は、板状に形成された請求項１記載の多機能飲食具。
【発明の詳細な説明】
【０００１】
【発明の属する技術分野】
本発明は、例えば、アイスクリームやシャーベット等の固形状、流動状の飲食物が混在する飲食物を飲食する際に用いられる多機能飲食具に関する。
【０００２】
【従来の技術】
例えば、ジュース類、アイスクリーム、かき氷、パフェ、その他のデザート類等、固形状態と流動状態の飲食物とが混在する飲食物または、固形状態から溶けて流動状態に変化するような飲食物を飲食する際には、例えば、ストローやスプーン等の飲食具を使用することが多い。従来、これらの飲食物を飲食しやすくするために、ストローとスプーンの機能を兼用した飲食具が提案されており、例えば、特許文献１等に提案されている。特許文献１に記載されたキャンディーストローは、ボンボンの塊、砂糖、その他のキャンディー等から形成されており、２本のストローを直状に揃えつつその一端側を二股状に広げるように湾曲させて接合し、その広がった間隙部分にストローの直状の部分と略真っ直ぐな角度でスプーンの頭部が設けられている。
【特許文献１】特表２００３−５０５１２６号公報（明細書段落番号「００１８」「００１９」、図４）
【０００３】
【発明が解決しようとする課題】
しかしながら、特許文献１のキャンディーストローは、スプーンとして使用する際の柄となるストローの直状の部分とスプーンの頭部とが略真っ直ぐな角度で設けられているので、特許文献１のキャンディーストローでコップのように比較的底が深い容器に入っているアイスクリーム等の飲食物を飲食する際には、スプーンの部分で飲食物をすくうことが困難であり、食べにくいものであった。例えば、特許文献１のキャンディーストローでコップの底側に残ったアイスクリーム等をすくう場合には、コップを片手でもって斜めに傾けた状態で、特許文献１のキャンディーストローを操作しながら飲食する必要がある。また、コップを傾けた際やキャンディーストローを操作した際等に、コップの口から溶けたアイスクリーム等がこぼれてしまうことが多く、衣服又は、テーブル、椅子、床等を汚してしまう問題が生じていた。
【０００４】
本発明は、上記従来の課題に鑑みてなされたものであり、その一つの目的は、例えば、アイスクリームやパフェ等の固形状及び流動状飲食物を飲食することができる飲食具であって、容器を傾けることなく容器内の飲食物を確実にすくいあげることができるとともに、容器の底部側の流動状飲食物をも確実に吸引できる使い勝手に優れた多機能飲食具を提供することにある。さらに、他の目的は、構造が簡単で製造コストが低廉な多機能飲食具を提供することにある。
【０００５】
【課題を解決するための手段】
上記課題を解決するために本発明は、上下両側で外部に連通する内部管路１６を有する細長いパイプ部１２と、パイプ部１２の下端側に一体的に設けられ、パイプ部１２に対して交差方向に広がったすくい面２２を有するすくい部１４と、を備え、すくい部１４は、容器Ｙ内でパイプ部１２を立てた状態で飲食物Ｘを担持できて、その状態でパイプ部１２を上方に移動させた際にも該飲食物Ｘを担持した状態を維持するように設けられており、かつ、パイプ部１２を立てた状態でパイプ部１２を介して容器Ｙの底部側の流動状飲食物を吸引できるように設けられたことを特徴とする多機能飲食具１０から構成される。パイプ部１４の長さや径の大きさ、及び内部管路１６の径の大きさ等は任意に設定される。例えば、パイプ部の長さは、パイプ部を容器内に立てた状態で、すくい部が容器の底に当接した際に、パイプ部の上端側がある程度容器の口から突出するように設けられていれば任意の長さで良い。また、例えば、内部管路の径の大きさは、飲食物が粘性が高い流動状の場合には大きいほうが好ましい。内部管路１６の下端側の開口は、容器内にパイプ部１２を立てた状態で、容器内部の底面に近接する位置であればその位置及び向きは任意でも良い。例えば、下端側開口は、パイプ部を立てた状態で、下向きの開口でも良いし、横向きの開口でも良い。すくい部１４の形状、大きさは任意で良いが、すくい部１４のすくい面２２が若干凹陥状に湾曲して形成すると、飲食物を担持しやすい。特に、椀状に湾曲して形成すると、飲食物を担持しやすいとともに、すくい部１４を口にした際に違和感等を感じることなく使用できる。すくい部１４のすくい面２２のパイプ部に対する角度は任意でも良いが、９０度に近いほど容器の底部側の飲食物を担持しやすい。
【０００６】
また、パイプ部１２を立てた状態ですくい部１４はその下面が容器の内部底面に当接するように形成され、該下面にはパイプ部１２の内部管路１６と連通する開口（２０）が設けられたこととしてもよい。容器内にパイプ部１２を立てた状態で、パイプ部の下端側の開口が容器の底面に当接するので、容器の底部側の流動状飲食物を確実に吸引できる。
【０００７】
また、パイプ部１２を立てた状態ですくい部１４はその下面が容器Ｙの内部底面に当接するように形成され、パイプ部１２は、直線状に伸びた内部管路１６の下端側に容器Ｙ内部の底面に臨む吸引開口２８を備え、該パイプ部１２の下端において側方に伸びるようにすくい部１４が設けられたこととしてもよい。パイプ部１２を立てた状態で吸引開口２８が容器内部の底面にできるだけ近接するように設けると容器底部側の流動状飲食物を良好に吸引できる。
【０００８】
また、パイプ部１２を立てた状態ですくい部１４はその下面が容器Ｙの内部底面に当接するように形成され、すくい部１４のすくい面２２側にパイプ部１２の内部管路１６と連通する横向き開口３０が設けられたこととしてもよい。横向き開口３０は、パイプ部１２を立てた状態ですくい部の下面側が容器内部の底面に当接した際に、横向き開口３０が容器内部の底面にできるだけ近接するように設けると容器底部側の流動状飲食物を良好に吸引できる。
【０００９】
また、すくい部１４は、椀状に湾曲して形成されたこととしてもよい。すくい部１４は、パイプ部１２の下端から側方に向けて延長状に広がるように湾曲形成してもよい。また、すくい部１４は、パイプ部１２の下端寄り中間位置から側方に突出するように設けられていても良い。
【００１０】
また、すくい部１４は、板状に形成されたこととしてもよい。すくい部の形状は任意で良く、円形、長丸形、楕円形、角のとれた四角形又はそれ以外の多角形等任意の形状でよい。また、すくい部１４は、側面視で、直線状、くの字状、円弧状の板で設けられていてもよい。また、パイプ部を立てた状態ですくい部の下面が容器Ｙ内部の底面に当接するように設けて、すくい部に飲食物を担持させやすくしてもよい。
【００１１】
【発明の実施の形態】
以下添付図面を参照しつつ本発明の多機能飲食具の実施の形態について説明する。本発明の多機能飲食具は、例えば、図４に示すようなコップ状の底が深い容器Ｙに入ったアイスクリーム、シャーベット、パフェ等を飲食する際に用いられる飲食具であり、それらの飲食物をすくいあげて飲食できるとともに、流動状態の場合にはそれらの飲食物を吸引しても飲食できる多機能飲食具である。図１ないし図４は、多機能飲食具の第１の実施形態を示している。図１に示すように、多機能飲食具１０は、本実施形態において、細長いパイプ部１２と、パイプ部１２の下端側に一体的に設けられたすくい部１４と、を有しており、例えば、プラスチック等の合成樹脂等により一体的に形成されている。多機能飲食具１０は、本実施形態では、例えば、１５〜２０ｃｍ程度の長さで、内部に上端から下端まで貫通した内部管路を有し側面視略縦長Ｌ字状の外形をした中空管体で形成されており、直状の縦に長い部分をパイプ部１２とし、パイプ部１２の下端側から一体的に側方へ略９０度向きに湾曲して延長されつつその形状をパイプから底の浅い椀状に変形させながらすくい部１４を形成している。
【００１２】
パイプ部１２は、図１に示すように、上下両側で外部に連通する内部管路１６を有しており、容器内に立てた状態で挿し込んで流動状飲食物を吸引できる細い管である。本実施形態では、パイプ部１２は、細長い中空の円筒直管状に形成されており、その下端において側方に伸びるようにすくい部１４が設けられている。パイプ部１２の内部管路１６の上端側は、上端側開口１８から外部に連通しており、下方側では、後述するすくい部１４の内部を連通してすくい部１４の下面側の下端側開口２０から外部に連通している。なお、パイプ部１２は、中間位置に、例えば、蛇腹状の可撓部を設けて自在に曲げられるように形成して、上端側を飲食者が吸引しやすい向きに設定できるようにしても良い。
【００１３】
すくい部１４は、図３に示すように、パイプ部１２に対して交差方向に広がったすくい面２２を有しており、容器内の飲食物を担持するすくい手段である。本実施形態において、すくい部１４は、図２に示すように、側面視でパイプ部１２の下端から略９０度側方に向けてカーブしながら突設状に延長するように一体的に設けられており、上面側に湾曲したすくい面２２を形成しつつ、すくい部１４の下面側がパイプ部１２を立てた状態で容器の内部底面に当接するように設けられている。さらに、すくい部１４は、図３にも示すように、側面視での延長先端側２４をすくい口として、側面視で該延長先端側２４からパイプ部側に向かって緩やかに上方に傾斜した円弧状に湾曲しつつ、かつすくい面２２の内側から外側に向けて緩やかに上方に湾曲し、すくい部全体が上面側に凹部を有する椀状に湾曲して形成されており、飲食物を担持しやすくなっている。したがって、容器内でパイプ部１２を立てた状態でも、パイプ部を手で操作してすくい部１４に飲食物を担持させることができるとともに、その状態でパイプ部１２を上方に移動させても該飲食物を担持した状態を維持しながら、すくい上げることができる。これにより、容器を傾ける必要が無く、底の深い容器の底部側に残った飲食物を確実にすくいあげて飲食することができる。また、図２に示すように、すくい部１４の下面側には、容器の内部底面と当接する部分に対応した位置に、パイプ部１２の内部管路１６と連通した下端側開口２０が設けられている。下端側開口２０は、すくい部の湾曲に沿ってすくい面２２の裏面側内部に貫通された連通管路部２６を介してパイプ部１２の内部管路１６と連通して、内部管路１６の下端側を外部側へ連通させている。これにより、パイプ部１２を立てた状態で内部管路１６に連通する下端側開口２０が容器の底面に近接し、確実に容器の底部側の流動状飲食物を吸引できる。
【００１４】
次に本実施形態に係る多機能飲食具１０の作用について説明する。図４に示すように、多機能飲食具１０は、例えば、コップ状の底の深い容器Ｙに入ったアイスクリーム、シャーベット等の飲食物を飲食する際に用いる場合には、パイプ部１２を持ち手部分としつつ、パイプ部１２を容器内に立てて入れて、下端側のすくい部１４で飲食物Ｘをすくいとって飲食することができる。この際、すくい部１４のすくい面２２がパイプ部１２に対して交差状に広がっているので、容器Ｙ内にパイプ部１２を立てた状態でもすくい部１４にアイスクリーム等を確実に担持できるとともに、その状態でパイプ部１２を上方に移動させてもすくい部１４に飲食物Ｘが担持されたまますくいあげることができる。これにより、容器を傾ける必要がないので、容器内で溶けたアイスクリーム等が容器の外側にこぼれることがなく、衣服や、テーブル、椅子等を汚すことなくアイスクリーム等の飲食物を飲食することができる。さらに、例えば、アイスクリーム、シャーベットが溶けたものあるいはジュース等の流動状飲食物を飲食する場合には、パイプ部１２を介して吸引して飲食できる。パイプ部１２の下端側開口２０は、下端側のすくい部１４の下面側の位置に内部管路１６と連通するように設けられているので、流動状飲食物を容器Ｙの底部側まで完全に吸引することができる。したがって、固形状、流動状等の飲食物を飲食する際にいずれの状態の場合であってもそれぞれに対応した形態で、かつ使い勝手良く使用できる。
【００１５】
次に、図５ないし図７を参照しつつ本発明の多機能飲食具１０の第２の実施形態について説明するが、上記実施形態と同一部材には同一符号を付し、その詳細な説明を省略する。本実施形態において、多機能飲食具１０は、図５に示すように、基本的には第１実施形態と同じ構成であり、内部に上下に貫通した内部管路１６を有するパイプ部１２と、パイプ部１２の下端側に一体的に設けられたすくい部１４と、を有している。この実施形態でも、細長い円筒直管状のパイプ部１２の下端側から側面視略Ｌ字状に側方に向けて突出した底の浅い椀形を形成するように湾曲形成されてすくい部１４が一体的に設けられている。よって、本実施形態においても、容器内でパイプ部１２を立てた状態で、パイプ部１２を手で操作してすくい部１４に飲食物を担持させることができ、その状態でパイプ部１２を上方に移動させた際にもすくい部１４が該飲食物を担持した状態を維持でき、かつパイプ部１２を立てた状態でパイプ部１２を介して容器の底部側の流動状飲食物を吸引できる等の第１実施形態同様の作用効果を得ることができる。本実施形態では、パイプ部１２の下端側において、パイプ部の内部管路１６の下端側から外部に連通する開口の位置が前実施形態と異なっており、パイプ部１２は、図６に示すように、直線状に伸びた内部管路１６の下端側に容器内部の底面に臨む吸引開口２８を備えている。すなわち、本実施形態では、パイプ部１２の内部管路１６は、上端開口１８から下端側の吸引開口２８まで直線状に形成されている。したがって、第１実施形態のようにすくい部内部側に湾曲させた連通管路部を設けなくてもよく、第１実施形態に比べて内部管路及びすくい部周辺の設計が容易で製造しやすく、低コストで製造できる。
【００１６】
次に、図８ないし図１０を参照しつつ本発明の多機能飲食具１０の第３の実施形態について説明するが、上記実施形態と同一部材には同一符号を付し、その詳細な説明を省略する。本実施形態において、多機能飲食具１０は、図８に示すように、基本的には上記第１、第２実施形態と同じ構成であり、内部に上下両端で外部に連通するように上下に貫通した内部管路１６を有するパイプ部１２と、パイプ部１２の下端側に一体的に設けられたすくい部１４と、を有している。この実施形態でも、細長い円筒直管状のパイプ部１２の下端側から側面視略Ｌ字状に側方に向けて突出した底の浅い椀形を形成するように湾曲形成されてすくい部１４が一体的に設けられている。よって、本実施形態においても、容器内でパイプ部１２を立てた状態で、パイプ部１２を操作してすくい部１４に飲食物を担持させることができ、その状態でパイプ部１２を上方に移動させた際にもすくい部１４が該飲食物を担持した状態を維持できる等の上記実施形態と同様の作用効果を得ることができる。この実施形態では、パイプ部１２の下端側において、パイプ部１２の内部管路１６の下端側から外部に連通する開口の位置及びその向きが上記実施形態と異なっており、図９、図１０に示すように、すくい部１４のすくい面２２側にパイプ部１２の内部管路１６と連通する横向き開口３０が設けられている。横向き開口３０は、パイプ部１２の下方側のすくい部１４のすくい面２２側に向けて急傾斜した部分であって、横向き開口３０の下端側縁がすくい面２２の凹み底面と略同じ程度になる位置に設けられており、パイプ部１２の内部管路１６の下端側のすくい部１４のカーブに沿って湾曲した湾曲部と連通している。この横向き開口３０を介して、容器の底部側の流動状飲食物を吸引することができる。したがって、本実施形態では、すくい面２２側に横向き開口が設けられているから、容器の底面側に残った飲食物をすくい部１４でかきあつめるようにすくいながらパイプ部を介して吸引することもでき、飲食物を残さず飲食することができる。
【００１７】
次に、図１１ないし図１３を参照しつつ本発明の多機能飲食具１０の第４の実施形態について説明するが、上記実施形態と同一部材には同一符号を付し、その詳細な説明を省略する。本実施形態において、多機能飲食具１０は、図１１に示すように、上記第１ないし第３実施形態と同様に、内部に上下に貫通した内部管路１６を有するパイプ部１２と、パイプ部１２の下端側に一体的に設けられたすくい部１４と、を有している。本実施形態では、直管状に形成されたパイプ部１２の下端側において、すくい部１４が、パイプ部の下端よりも若干上方に移動した位置から、例えば、側面視略ト字状に側方に向けて突出して一体的に設けられている。すくい部１４は、図１２、図１３にも示すように、例えば、平板状に形成されており、上面側を平らなすくい面２２としながら、側面視で突出先端側３２が下方になるように傾斜させた状態で接続され、さらに、その突出先端側３２がパイプ部１２下端の下端側開口３４と略同じ水平面上に位置するように設定されている。これにより、容器内にパイプ部１２を立てた状態で、すくい部１４の突出先端側３２が容器の底面に近接するので底部側の飲食物をすくいやすいとともに、パイプ部１２の下端側開口３４が容器の底面に近接するので底部側の流動状飲食物を吸引できる。したがって、本実施形態においても、上記実施形態同様の作用効果を得ることができる。特に、本実施形態では、単に直管状のパイプ部１２に板状のすくい部１４を一体的に設けた構成であるから、上記実施形態のように湾曲変形のような複雑な工程を要する部分がないので製造しやすく、コストも低廉である。なお、すくい部のパイプ部に対する角度は任意であり、例えば、略９０度に設定しても良い。
【００１８】
以上説明した本発明の多機能飲食具は、上記した実施の形態にのみ限定されるものではなく、特許請求の範囲に記載した発明の本質を逸脱しない範囲の変形も本発明に含まれる。
【００１９】
【発明の効果】
上記したように本発明の多機能飲食具によれば、上下両側で外部に連通する内部管路を有する細長いパイプ部と、パイプ部の下端側に一体的に設けられ、パイプ部に対して交差方向に広がったすくい面を有するすくい部と、を備え、すくい部は、容器内でパイプ部を立てた状態で飲食物を担持できて、その状態でパイプ部を上方に移動させた際にも該飲食物を担持した状態を維持するように設けられており、かつ、パイプ部を立てた状態でパイプ部を介して容器の底部側の流動状飲食物を吸引できるように設けられた構成であるから、例えば、コップのように底が深い容器に入っているアイスクリーム、シャーベット、パフェ、その他デザート類等の固形状、流動状の飲食物を飲食する際に、いずれの状態の場合であってもそれぞれに対応した形態で使用して、該飲食物をスムーズな操作で飲食できるとともに、容器の底部側まで完全に飲食することができ、さらには、容器を傾ける必要がないので、容器内の流動状飲食物が容器の外側にこぼれることがなく、衣服や、テーブル、椅子等を汚すことなく飲食できる。
【００２０】
また、パイプ部を立てた状態ですくい部はその下面が容器の内部底面に当接するように形成され、該下面にはパイプ部の内部管路と連通する開口が設けられた構成とすることにより、固形状、流動状等の飲食物を飲食する際にいずれの状態の場合であってもそれぞれに対応した形態で、かつ使い勝手良く使用できる多機能飲食具を具体的に実現できる。すくい部の下面の容器の底面に当接する部分に開口を設けることにより、容器の底部側に残った流動状の飲食物を確実に吸引できる。
【００２１】
また、パイプ部を立てた状態ですくい部はその下面が容器の内部底面に当接するように形成され、パイプ部は、直線状に伸びた内部管路の下端側に容器内部の底面に臨む吸引開口を備え、該パイプ部の下端において側方に伸びるようにすくい部が設けられた構成とすることにより、固形状、流動状等の飲食物を飲食する際にいずれの状態の場合であってもそれぞれに対応した形態で、かつ使い勝手良く使用できる多機能飲食具を具体的に実現できる。内部管路を直線状に形成するので、設計が容易で製造しやすく、コストを低廉にできる。
【００２２】
また、パイプ部を立てた状態ですくい部はその下面が容器の内部底面に当接するように形成され、すくい部のすくい面側にパイプ部の内部管路と連通する横向き開口が設けられた構成とすることにより、固形状、流動状等の飲食物を飲食する際にいずれの状態の場合であってもそれぞれに対応した形態で、かつ使い勝手良く使用できる多機能飲食具を具体的に実現できる。さらに、すくい面側に横向き開口が設けられているから、容器の底面側に残った飲食物をすくい部でかきあつめるようにすくいながらパイプ部を介して吸引することもでき、飲食物を残さず飲食することができる。
【００２３】
また、すくい部は、椀状に湾曲して形成された構成とすることにより、すくい部に飲食物を担持させやすいとともに、該飲食物がすくい部からこぼれにくく、スムーズに飲食できる。また、すくい部を口にした際に違和感等を感じることがない。
【００２４】
また、すくい部は、板状に形成された構成とすることにより、構成が簡単で製造しやすく、コストを低廉にし得る。
【図面の簡単な説明】
【図１】本発明の第１の実施形態に係る多機能飲食具の側面図である。
【図２】図１の多機能飲食具のパイプ部下端側の要部断面拡大図である。
【図３】図１の多機能飲食具のパイプ部下端側の斜視拡大図である。
【図４】図１の多機能飲食具の作用説明図である。
【図５】本発明の第２の実施形態に係る多機能飲食具の側面図である。
【図６】図５の多機能飲食具のパイプ部下端側の要部断面拡大図である。
【図７】図６の多機能飲食具のパイプ部下端側の斜視拡大図である。
【図８】本発明の第３の実施形態に係る多機能飲食具の側面図である。
【図９】図８の多機能飲食具のパイプ部下端側の要部断面拡大図である。
【図１０】図８の多機能飲食具のパイプ部下端側の斜視拡大図である。
【図１１】本発明の第４の実施形態に係る多機能飲食具の側面図である。
【図１２】図１１の多機能飲食具のパイプ部下端側の要部断面拡大図である。
【図１３】図１１の多機能飲食具のパイプ部下端側の斜視拡大図である。
【符号の説明】
１０  多機能飲食具
１２  パイプ部
１４  すくい部
１６  内部管路
２０  下端側開口
２２  すくい面
２８  吸引開口
３０  横向き開口
【図１】
2005013449.tif 000003
【図２】
2005013449.tif 000004
【図３】
2005013449.tif 000005
【図４】
2005013449.tif 000006
【図５】
2005013449.tif 000007
【図６】
2005013449.tif 000008
【図７】
2005013449.tif 000009
【図８】
2005013449.tif 000010
【図９】
2005013449.tif 000011
【図１０】
2005013449.tif 000012
【図１１】
2005013449.tif 000013
【図１２】
2005013449.tif 000014
【図１３】
2005013449.tif 000015